(57)【要約】本発明は複数ユーザー情報伝送の変調方法、復調方法及び装置を開示する。該変調方法は、送信機が、第１の情報ビット、第２の情報ビット及びマッピングテーブルに基づいて、第１の変調シンボルと第２の変調シンボルを確定することと、前記送信機が、前記第１の変調シンボルを前記第２の変調シンボルと重畳させ、重畳シンボルを取得することと、を含み、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。【選択図】図１
2018525915.tif 000002
【特許請求の範囲】
【請求項１】
複数ユーザー情報伝送の変調方法であって、
送信機が、第１の情報ビット、第２の情報ビット及びマッピングテーブルに基づいて、第１の変調シンボルと第２の変調シンボルを確定することと、
前記送信機が、前記第１の変調シンボルを前記第２の変調シンボルと重畳させ、重畳シンボルを取得することと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する、
複数ユーザー情報伝送の変調方法。
【請求項２】
前記送信機が、第１の情報ビット、第２の情報ビット及びマッピングテーブルに基づいて、第１の変調シンボルと第２の変調シンボルを確定することは、
前記送信機が、前記第１の情報ビットから、前記マッピングテーブルの第１のマッピング関係によって、前記第１の変調シンボルを取得することと、
前記送信機が、前記第２の情報ビットから、前記マッピングテーブルの第２のマッピング関係によって、前記第２の変調シンボルを取得することと、
を含む、請求項１に記載の複数ユーザー情報伝送の変調方法。
【請求項３】
前記第１のマッピング関係は、複数の前記第２のマッピング関係に対応する、
請求項２に記載の複数ユーザー情報伝送の変調方法。
【請求項４】
前記送信機が、前記第１の情報ビットから、前記マッピングテーブルの第１のマッピング関係によって、前記第１の変調シンボルを取得することは、
前記第１の情報ビットが１ビットである場合、前記送信機が、前記第１の情報ビットから、第１の二位相偏移変調（ＢＰＳＫ）によって、前記第１の変調シンボルを取得することと、
前記第１の情報ビットが２ビットである場合、前記送信機が、前記第１の情報ビットから、第１の四位相偏移変調（ＱＰＳＫ）によって、前記第１の変調シンボルを取得することと、
を含む、請求項２に記載の複数ユーザー情報伝送の変調方法。
【請求項５】
前記送信機が、前記第２の情報ビットから、前記マッピングテーブルの第２のマッピング関係によって、前記第２の変調シンボルを取得することは、
前記第２の情報ビットが２ビットである場合、前記送信機が、前記第２の情報ビットから、第２のＱＰＳＫマッピング関係によって、前記第２の変調シンボルを取得することと、
前記第２の情報ビットが４ビットである場合、前記送信機が、前記第２の情報ビットから、第２の１６直交振幅変調（１６ＱＡＭ）マッピング関係によって、前記第２の変調シンボルを取得することと、
前記第２の情報ビットが６ビットである場合、前記送信機が、前記第２の情報ビットから、第２の６４直交振幅変調（６４ＱＡＭ）マッピング関係によって、前記第２の変調シンボルを取得することと、
を含み、
前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることであり、
前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることであり、
前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである、
請求項４に記載の複数ユーザー情報伝送の変調方法。
【請求項６】
前記送信機が、前記第１の変調シンボルを前記第２の変調シンボルと重畳させ、重畳シンボルを取得することは、
前記送信機が、前記第１の変調シンボルを前記第２の変調シンボルと線形重畳させ、重畳シンボルを取得すること、
を含む、請求項１〜５のいずれか１項に記載の複数ユーザー情報伝送の変調方法。
【請求項７】
前記送信機が、前記第１の変調シンボルを第２の変調シンボルと線形重畳させ、重畳シンボルを取得することは、
前記送信機が、前記第１の変調シンボルを第１の力率と乗算し、第１の重み付け変調シンボルを得て、前記送信機が、前記第２の変調シンボルを第２の力率と乗算し、第２の重み付け変調シンボルを取得することと、
前記送信機が、前記第１の重み付け変調シンボルを前記第２の重み付け変調シンボルと加算し、前記重畳シンボルを取得することと、
を含み、
前記第１の力率は第１の情報ビットの電力占有率の平方根であり、前記第２の力率は、第２の情報ビットの電力占有率の平方根であり、第１の情報ビットの電力占有率を第２の情報ビットの電力占有率と加算すると、１になる、
請求項６に記載の複数ユーザー情報伝送の変調方法。
【請求項８】
前記送信機が、第１の情報ビット、第２の情報ビット及びマッピングテーブルに基づいて、第１の変調シンボルと第２の変調シンボルを確定する前に、
前記送信機が、第１のビットストリームに対して符号化し、第１の情報ビットを取得することと、
前記送信機が、第２のビットストリームに対して符号化し、第２の情報ビットを取得することと、
をさらに含む、請求項７に記載の複数ユーザー情報伝送の変調方法。
【請求項９】
前記送信機が、前記第１の変調シンボルを前記第２の変調シンボルと重畳させ、重畳シンボルを得た後に、
前記送信機が、前記重畳シンボルを送信信号に形成し、前記送信信号を複数の受信機に送信すること、
をさらに含む、請求項８に記載の複数ユーザー情報伝送の変調方法。
【請求項１０】
複数ユーザー情報伝送の復調方法であって、
受信機が、送信機より送信された送信信号を取得することと、
前記受信機が、前記送信信号とマッピングテーブルに基づいて、前記送信機より自分に送信された情報を確定することと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する、
複数ユーザー情報伝送の復調方法。
【請求項１１】
前記受信機が、前記送信信号とマッピングテーブルに基づいて、前記送信機より自分に送信された情報を確定することは、
前記受信機が第１の受信機であり、最大尤度法又は最小二乗誤差法によって、前記送信信号に基づいて第１の変調シンボルを取得し、前記第１の変調シンボルを前記マッピングテーブルに従って復調し、第１の情報ビットが得られ、第１の情報ビットを復号化して前記送信機より自分に送信された情報を取得すること、
を含む、請求項１０に記載の複数ユーザー情報伝送の復調方法。
【請求項１２】
前記受信機が、前記送信信号とマッピングテーブルに基づいて、前記送信機より自分に送信された情報を確定することは、
前記受信機が、第２の受信機であり、最大尤度法又は最小二乗誤差法によって、前記送信信号から第１の変調シンボルを取得し、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得て、第２の情報ビットを復号化して前記送信機より自分に送信された情報を取得すること、
を含む、請求項１０に記載の複数ユーザー情報伝送の復調方法。
【請求項１３】
送信機であって、
第１の情報ビット、第２の情報ビット及びマッピングテーブルに基づいて、第１の変調シンボルと第２の変調シンボルを確定するように構成される第１の確定モジュールと、
前記第１の変調シンボルを前記第２の変調シンボルと重畳させ、重畳シンボルを取得するように構成される重畳モジュールと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する、送信機。
【請求項１４】
前記第１の確定モジュールは、前記第１の情報ビットから、前記マッピングテーブルの第１のマッピング関係によって、前記第１の変調シンボルを取得し、前記第２の情報ビットから、前記マッピングテーブルの第２のマッピング関係によって、前記第２の変調シンボルを取得するように構成される、
請求項１３に記載の送信機。
【請求項１５】
前記第１の確定モジュールは、
前記第１の情報ビットが１ビットである場合、前記第１の情報ビットから、第１の二位相偏移変調（ＢＰＳＫ）によって、前記第１の変調シンボルを取得し、
前記第１の情報ビットが２ビットである場合、前記第１の情報ビットから、第１の四位相偏移変調（ＱＰＳＫ）によって、前記第１の変調シンボルを取得し、
前記第２の情報ビットが２ビットである場合、前記第２の情報ビットから、第２のＱＰＳＫマッピング関係によって、前記第２の変調シンボルを取得し、
前記第２の情報ビットが４ビットである場合、前記第２の情報ビットから、第２の１６直交振幅変調（１６ＱＡＭ）マッピング関係によって、前記第２の変調シンボルを取得し、
前記第２の情報ビットが６ビットである場合、前記第２の情報ビットから、第２の６４直交振幅変調（６４ＱＡＭ）マッピング関係によって、前記第２の変調シンボルを取得する、
ように構成され、
前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることであり、
前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることであり、
前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである、
請求項１４に記載の送信機。
【請求項１６】
前記重畳モジュールは、第１の変調シンボルを第２の変調シンボルと線形重畳させ、重畳シンボルを取得するように構成される、
請求項１３〜１５のいずれか１項に記載の送信機。
【請求項１７】
前記重畳モジュールは、前記第１の変調シンボルを第１の力率と乗算し、第１の重み付け変調シンボルを得て、前記第２の変調シンボルを第２の力率と乗算し、第２の重み付け変調シンボルを得て、前記第１の重み付け変調シンボルを前記第２の重み付け変調シンボルと加算し、前記重畳シンボルを取得する、
ように構成され、
前記第１の力率は第１の情報ビットの電力占有率の平方根であり、前記第２の力率は、第２の情報ビットの電力占有率の平方根であり、第１の情報ビットの電力占有率を第２の情報ビットの電力占有率と加算すると、１になる、
請求項１６に記載の送信機。
【請求項１８】
第１のビットストリームに対して符号化し、第１の情報ビットを得て、第２のビットストリームに対して符号化し、第２の情報ビットを取得するように構成される符号化モジュール、
をさらに含む、請求項１７に記載の送信機。
【請求項１９】
前記重畳シンボルを送信信号に形成し、前記送信信号を複数の受信機に送信するように構成される送信モジュール、
をさらに含む、請求項１８に記載の送信機。
【請求項２０】
受信機であって、
送信機より送信された送信信号を取得するように構成される取得モジュールと、
前記送信信号とマッピングテーブルに基づいて、前記送信機より自分に送信された情報を確定するように構成される第２の確定モジュールと、を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する、
受信機。
【請求項２１】
前記受信機は第１の受信機であり、前記第２の確定モジュールは、最大尤度法又は最小二乗誤差法によって、前記送信信号から第１の変調シンボルを取得し、前記第１の変調シンボルを前記マッピングテーブルに従って復調し、第１の情報ビットが得られ、第１の情報ビットを復号化して前記送信機より自分に送信された情報を取得するように構成される、
請求項２０に記載の受信機。
【請求項２２】
前記受信機は、第２の受信機であり、前記第２の確定モジュールは、最大尤度法又は最小二乗誤差法によって、前記送信信号から第１の変調シンボルを取得し、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得て、第２の情報ビットを復号化して前記送信機より自分に送信された情報を取得するように構成される、
請求項２０に記載の受信機。
【発明の詳細な説明】
【技術分野】
【０００１】
本発明は無線通信技術に関するが、無線通信技術に限らず、特に複数ユーザー情報伝送の変調方法、復調方法及び装置に関する。
【背景技術】
【０００２】
複数ユーザー情報の多重化は、直交多重化方式、又は非直交多重化方式によって実現されることができ、ここで、非直交多重化方式は、複数ユーザーの情報が同じ時間周波数リソースで伝送されることができることを意味する。
【０００３】
通常、非直交多重化方式は、送信機においては重畳符号化技術を使用し、受信機においては逐次型干渉除去（ＳＩＣ：Ｓｕｃｃｅｓｓｉｖｅ  Ｉｎｔｅｒｆｅｒｅｎｃｅ  Ｃａｎｃｅｌｌａｔｉｏｎ）技術を使用する。例えば、一つのダウンリンク伝送システムにおいて、送信機は、ユーザー１のビットストリームとユーザー２のビットストリームとをそれぞれ符号化して変調してから、ユーザー１の変調シンボルとユーザー２の変調シンボルを得て、これらの二つのユーザーの変調シンボルを重畳してから、同じ時間周波数リソースにおいて送信する。これらの二つのユーザーの変調シンボルを重畳することは、「重畳符号化」とも呼ばれる。ＳＩＣは、まず干渉信号を復調し、ユーザー２を復調する場合、ユーザー１の信号が干渉信号と呼ばれる。次に、ユーザー２の受信信号から前記復調された干渉信号を取り除いてから、ユーザー２の信号を復調する。
【０００４】
階層変調（Ｈｉｅｒａｒｃｈｉｃａｌ  ｍｏｄｕｌａｔｉｏｎ）は、重畳符号化の変形と見なすことができ、高優先度のビットストリームと低優先度のビットストリームの組み合わせを通してから、コンステレーションダイヤグラムに統一してマッピングし、グレー（Ｇｒａｙ）マッピング属性を有するコンステレーションを取得することができ、グレーは、組み合わせのビットがコンステレーションダイヤグラムの隣接コンステレーションポイントにマッピングして１ビットのみ異なると意味する。階層変調をＳＩＣと組み合わせして容量境界に近い性能を達成することができるが、階層変調は、異なるデータストリームに対して異なる電力の割り当てるのは柔軟性が欠如しており、ダウンリンク複数ユーザーチャンネルの容量に達するのは、実現上複雑である。
【発明の概要】
【０００５】
以下において、本発明に対する詳細説明の主題の概要である。本概要は、本発明の範囲を制限するわけではない。
【０００６】
従来技術において、階層変調は、異なるデータストリームに対して異なる電力の割り当てるのは柔軟性が欠如しており、それによって複数ユーザー情報の非直交多重化は複雑である。
【０００７】
本発明は、複数端末情報伝送の変調方法、復調方法及び装置を提供し、それによって複数ユーザー情報の非直交多重化の複雑であるという課題を解決する。
【０００８】
複数ユーザー情報伝送の変調方法であって、
送信機は、第１の情報ビット、第２の情報ビット及びマッピングテーブルに基づいて、第１の変調シンボルと第２の変調シンボルを確定することと、
前記送信機は、前記第１の変調シンボルを前記第２の変調シンボルと重畳させ、重畳シンボルを取得することと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内のセットの各変調シンボルが重畳しており、コンステレーションダイヤグラムにマッピングしてグレー属性を有する。
【０００９】
選択肢として、前記送信機は、第１の情報ビット、第２の情報ビット及びマッピングテーブルに基づいて、第１の変調シンボルと第２の変調シンボルを確定することは、
前記送信機は、前記第１の情報ビットから、前記マッピングテーブルの第１のマッピング関係によって、前記第１の変調シンボルを取得することと、
前記送信機は、前記第２の情報ビットから、前記マッピングテーブルの第２のマッピング関係によって、前記第２の変調シンボルを取得することと、
を含む。
【００１０】
選択肢として、前記第１のマッピング関係は、複数の前記第２のマッピング関係に対応する。
【００１１】
選択肢として、前記送信機は、前記第１の情報ビットから、前記マッピングテーブルの第１のマッピング関係によって、前記第１の変調シンボルを取得することは、
前記第１の情報ビットが１ビットである場合、前記送信機は、前記第１の情報ビットから、第１の二位相偏移変調（ＢＰＳＫ）によって、前記第１の変調シンボルを取得することと、
前記第１の情報ビットが２ビットである場合、前記送信機は、前記第１の情報ビットから、第１の四位相偏移変調（ＱＰＳＫ）によって、前記第１の変調シンボルを取得することと、
を含む。
【００１２】
選択肢として、前記送信機は、前記第２の情報ビットから、前記マッピングテーブルの第２のマッピング関係によって、前記第２の変調シンボルを取得することは、
前記第２の情報ビットが２ビットである場合、前記送信機は、前記第２の情報ビットから、第２のＱＰＳＫマッピング関係によって、前記第２の変調シンボルを取得することと、
前記第２の情報ビットが４ビットである場合、前記送信機は、前記第２の情報ビットから、第２の１６直交振幅変調（１６ＱＡＭ）マッピング関係によって、前記第２の変調シンボルを取得することと、
前記第２の情報ビットが６ビットである場合、前記送信機は、前記第２の情報ビットから、第２の６４直交振幅変調（６４ＱＡＭ）マッピング関係によって、前記第２の変調シンボルを取得することと、
を含み、
前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部を両方に応じて反転されることであり、
前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることであり、
前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである。
【００１３】
選択肢として、前記送信機は、前記第１の変調シンボルを前記第２の変調シンボルと重畳させ、重畳シンボルを取得することは、
前記送信機は、前記第１の変調シンボルを前記第２の変調シンボルと線形重畳させ、重畳シンボルを取得することを含む。
【００１４】
選択肢として、前記送信機は、前記第１の変調シンボルを第２の変調シンボルと線形重畳させ、重畳シンボルを取得することは、
前記送信機は、前記第１の変調シンボルを第１の力率と乗算し、第１の重み付け変調シンボルを取得することと、
前記送信機は、前記第２の変調シンボルを第２の力率と乗算し、第２の重み付け変調シンボルを取得することと、
前記送信機は、前記第１の重み付け変調シンボルを前記第２の重み付け変調シンボルと加算し、前記重畳シンボルを取得することと、
を含み、
前記第１の力率は、第１の情報ビットの電力占有率の平方根であり、前記第２の力率は、第２の情報ビットの電力占有率の平方根であり、第１の情報ビットの電力占有率を第２の情報ビットの電力占有率と加算すると、１になる。
【００１５】
選択肢として、前記送信機は、第１の情報ビット、第２の情報ビット及びマッピングテーブルに基づいて、第１の変調シンボルと第２の変調シンボルを確定する前に、
前記送信機は、第１のビットストリームに対して符号化し、第１の情報ビットを取得することと、
前記送信機は、第２のビットストリームに対して符号化し、第２の情報ビットを取得することと、
をさらに含む。
【００１６】
選択肢として、前記送信機は、前記第１の変調シンボルを前記第２の変調シンボルと重畳させ、重畳シンボルを得た後に、
前記送信機は、前記重畳シンボルを送信信号に形成し、前記送信信号を複数の受信機に送信することをさらに含む。
【００１７】
複数ユーザー情報伝送の復調方法であって、
受信機は、送信機より送信された送信信号を取得することと、
前記受信機は、前記送信信号とマッピングテーブルに基づいて、前記送信機より自分に送信された情報を確定することと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。
【００１８】
選択肢として、前記受信機は、前記送信信号とマッピングテーブルに基づいて、前記送信機より自分に送信された情報を確定することは、
前記受信機は第１の受信機であり、最大尤度法又は最小二乗誤差法によって、前記送信信号に基づいて第１の変調シンボルを取得し、前記第１の変調シンボルを前記マッピングテーブルに従って復調し、第１の情報ビットが得られ、第１の情報ビットを復号化して前記送信機より自分に送信された情報を取得することを含む。
【００１９】
選択肢として、前記受信機は、前記送信信号とマッピングテーブルに基づいて、前記送信機より自分に送信された情報を確定することは、
前記受信機は、第２の受信機であり、最大尤度法又は最小二乗誤差法によって、前記送信信号に基づいて第１の変調シンボルを取得し、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得って、第２の情報ビットを復号化して前記送信機より自分に送信された情報を取得すること、を含む。
【００２０】
送信機であって、
第１の情報ビット、第２の情報ビット及びマッピングテーブルに基づいて、第１の変調シンボルと第２の変調シンボルを確定するように構成される第１の確定モジュールと、
前記第１の変調シンボルを前記第２の変調シンボルと重畳させ、重畳シンボルを取得するように構成される重畳モジュールと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。
【００２１】
選択肢として、前記第１の確定モジュールは、前記第１の情報ビットから、前記マッピングテーブルの第１のマッピング関係によって、前記第１の変調シンボルを取得し、前記第２の情報ビットから、前記マッピングテーブルの第２のマッピング関係によって、前記第２の変調シンボルを取得するように構成される。
【００２２】
選択肢として、前記第１のマッピング関係は、複数の前記第２のマッピング関係に対応する。
【００２３】
選択肢として、前記確定モジュールは、前記第１の情報ビットから、第１のＢＰＳＫ、又は第１のＱＰＳＫ、又は第１のＱＡＭのうちのいずれか一つのマッピング関係によって、前記第１の変調シンボルを取得するように構成される。
【００２４】
選択肢として、前記第１の確定モジュールは、
前記第１の情報ビットが１ビットである場合、前記第１の情報ビットから、第１の二位相偏移変調（ＢＰＳＫ）によって、前記第１の変調シンボルを得て、
前記第１の情報ビットが２ビットである場合、前記第１の情報ビットから、第１の四位相偏移変調（ＱＰＳＫ）によって、前記第１の変調シンボルを得て、
前記第２の情報ビットが２ビットである場合、前記第２の情報ビットから、第２のＱＰＳＫマッピング関係によって、前記第２の変調シンボルを得て、
前記第２の情報ビットが４ビットである場合、前記第２の情報ビットから、第２の１６直交振幅変調（１６ＱＡＭ）マッピング関係によって、前記第２の変調シンボルを得て、
前記第２の情報ビットが６ビットである場合、前記第２の情報ビットから、第２の６４直交振幅変調（６４ＱＡＭ）マッピング関係によって、前記第２の変調シンボルを取得する、
ように構成され、
前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることであり、
前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることであり、
前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである。
【００２５】
選択肢として、前記重畳モジュールは、第１の変調シンボルを第２の変調シンボルと線形重畳させ、重畳シンボルを取得するように構成される。
【００２６】
選択肢として、前記重畳モジュールは、
前記第１の変調シンボルを第１の力率と乗算し、第１の重み付け変調シンボルを得て、
前記第２の変調シンボルを第２の力率と乗算し、第２の重み付け変調シンボルを得て、
前記第１の重み付け変調シンボルを前記第２の重み付け変調シンボルと加算し、前記重畳シンボルを取得する、
ように構成され、
ここで、前記第１の力率は第１の情報ビットの電力占有率の平方根であり、前記第２の力率は、第２の情報ビットの電力占有率の平方根であり、第１の情報ビットの電力占有率を第２の情報ビットの電力占有率と加算すると、１になる。
【００２７】
選択肢として、前記送信機は符号化モジュールをさらに含み、前記符号化モジュールは、第１のビットストリームに対して符号化し、第１の情報ビットを得て、第２のビットストリームに対して符号化し、第２の情報ビットを取得するように構成される。
【００２８】
選択肢として、前記送信機は送信モジュールをさらに含み、前記送信モジュールは、前記重畳シンボルを送信信号に形成し、前記送信信号を複数の受信機に送信するように構成される。
【００２９】
受信機であって、
送信機より送信された送信信号を取得するように構成される取得モジュールと、
前記送信信号とマッピングテーブルに基づいて、前記送信機より自分に送信された情報を確定するように構成される第２の確定モジュールと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。
【００３０】
選択肢として、前記受信機は第１の受信機であり、前記第２の確定モジュールは、最大尤度法又は最小二乗誤差法によって、前記送信信号に基づいて第１の変調シンボルを取得し、前記第１の変調シンボルを前記マッピングテーブルに従って復調し、第１の情報ビットが得られ、第１の情報ビットを復号化して前記送信機より自分に送信された情報を取得するように構成される。
【００３１】
選択肢として、前記第１の受信機は境界ユーザー受信機である。
【００３２】
選択肢として、前記受信機は、第２の受信機であり、前記第２の確定モジュールは、最大尤度法又は最小二乗誤差法によって、前記送信信号に基づいて第１の変調シンボルを取得し、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得って、第２の情報ビットを復号化して前記送信機より自分に送信された情報を取得するように構成される。
【００３３】
選択肢として、前記第２の受信機は、中心ユーザー受信機である。
【００３４】
コンピュータ読み取り可能な記憶媒体であって、プロセッサで実行する時に上記の方法を実現するコンピュータで実行可能な命令が記憶されている。
【００３５】
従来技術と対比し、本発明の実施例における複数ユーザー情報伝送の変調方法は、送信機は、第１の情報ビット、第２の情報ビット及びマッピングテーブルに基づいて、第１の変調シンボルと第２の変調シンボルを確定することと、前記送信機は、前記第１の変調シンボルを前記第２の変調シンボルと重畳させ、重畳シンボルを取得することとを含み、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。それによって、情報ビットとマッピングテーブルに基づいて変調シンボルを取得することを実現し、それによって変調の過程を簡易化し、さらに複数ユーザー情報の非直交多重化の効率を向上させる。
【００３６】
図面と詳細説明を閲覧して理解した後に、その他の方面も分かるようになる。
【図面の簡単な説明】
【００３７】
【図１】本発明における複数ユーザー情報伝送の変調方法１の実施例のフローチャートである。
【図２】本発明の実施例における複数ユーザー情報伝送の適用場面を示す図である。
【図３】本発明における複数ユーザー情報伝送の復調方法１の実施例のフローチャートである。
【図４】本発明における複数ユーザー情報伝送の変調方法２の実施例のフローチャートである。
【図５】本発明１の実施例における重畳シンボル信号をコンステレーションダイヤグラムにマッピングする概略図である。
【図６】本発明複数ユーザー情報伝送の変調方法３の実施例のフローチャートである。
【図７】本発明２の実施例における重畳シンボル信号をコンステレーションダイヤグラムにマッピングする概略図である。
【図８】本発明における複数ユーザー情報伝送の変調方法４の実施例のフローチャートである。
【図９】本発明３の実施例における重畳シンボル信号をコンステレーションダイヤグラムにマッピングする概略図である。
【図１０】本発明における送信機１の実施例のフローチャートである。
【図１１】本発明における送信機２の実施例のフローチャートである。
【図１２】本発明における受信機１の実施例のフローチャートである。
【発明を実施するための形態】
【００３８】
以下において図面を結合して本発明の実施形態を説明する。なお、衝突しない前提で、本願における実施例、及び実施例内の特徴を互いに組み合わせすることが可能である。
【００３９】
図１は、本発明複数ユーザー情報伝送の変調方法１の実施例のフローチャートであり、図２は、本発明の実施例における複数ユーザー情報伝送の適用場面を示す図であり、図２に示すように、送信機、例えば基地局ＢＳは、同じ時間周波数リソースで二つのユーザー設備、即ち第１の端末ＵＥ１と第２の端末ＵＥ２とにユーザー情報を送信する。各ユーザー設備は、混合信号から自分ユーザーの情報を分離して復調することができ、本実施例において、送信機から遠く離れる端末は第１の端末ＵＥ１、即ち境界ユーザーであり、送信機と近い端末は第２の端末ＵＥ２、即ち中心ユーザーである。図１に示すように、本発明の実施例により提供される複数ユーザー情報伝送の変調方法、ステップ１０１〜ステップ１０２を含む。
【００４０】
ステップ１０１において、送信機は、第１の情報ビット、第２の情報ビット及びマッピングテーブルに基づいて、第１の変調シンボルと第２の変調シンボルを確定する。
【００４１】
本実施例において、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。
【００４２】
ここで、前記マッピングテーブルは、複数セットの情報ビットと対応する複数セットの変調シンボルを含むことが可能であり、各セットの変調シンボルは、二つの変調シンボル（第１の変調シンボルと第２の変調シンボルとに対応する）を含むことが可能である。マッピングテーブルの各セットの情報ビットと対応する変調シンボルとの間にマッピング関係が存在し、例えば、第１の情報ビットと第１の変調シンボルとの間に第１のマッピング関係が存在し、第２の情報ビットと第２の変調シンボルとの間に第２のマッピング関係が存在し、前記第１の情報ビットから、前記マッピングテーブルの第１のマッピング関係によって、前記第１の変調シンボルを得て、前記第２の情報ビットから、前記マッピングテーブルの第２のマッピング関係によって、前記第２の変調シンボルを取得する。第１のマッピング関係は、複数の前記第２のマッピング関係に対応することができる。
【００４３】
第１のマッピング関係は、マッピングテーブルの部分的なマッピング関係であり、第２のマッピング関係は、マッピングテーブルの部分的なマッピング関係である。マッピングテーブルにおいて、第１の情報ビットは、１つの方式に従ってマッピングし、前記第１の変調シンボルを取得する場合、第２の情報ビットは複数の方式に従ってマッピングし、前記第２の変調シンボルを取得しても良い。
【００４４】
例を挙げて説明すると、前記第１の情報ビットが１ビットである場合、前記送信機は、前記第１の情報ビットから第１の二位相偏移変調（ＢＰＳＫ：Ｂｉｎａｒｙ  Ｐｈａｓｅ  Ｓｈｉｆｔ  Ｋｅｙｉｎｇ）によって、前記第１の変調シンボルを得て、
前記第１の情報ビットが２ビットである場合、前記送信機は、前記第１の情報ビットから、第１の四位相偏移変調（ＱＰＳＫ：Ｑｕａｄｒｉ  Ｐｈａｓｅ  Ｓｈｉｆｔ  Ｋｅｙｉｎｇ）によって、前記第１の変調シンボルを取得する。
【００４５】
それに応じて、前記第２の情報ビットが２ビットである場合、前記送信機は、前記第２の情報ビットから、第２のＱＰＳＫマッピング関係によって、前記第２の変調シンボルを得て、前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることである。
【００４６】
前記第２の情報ビットが４ビットである場合、前記送信機は、前記第２の情報ビットから、第２の１６直交振幅変調（１６ＱＡＭ）マッピング関係によって、前記第２の変調シンボルを得て、前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることである。
【００４７】
前記第２の情報ビットが６ビットである場合、前記送信機は、前記第２の情報ビットから、第２の６４直交振幅変調（６４ＱＡＭ）マッピング関係によって、前記第２の変調シンボルを得て、前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである。
【００４８】
ステップ１０２において、送信機は、前記第１の変調シンボルを前記第２の変調シンボルと重畳させ、重畳シンボルを取得する。
【００４９】
本実施例において、一つの第１の変調シンボルを一つの第２の変調シンボルと重畳させ、一つの重畳シンボルを得て、コンステレーションダイヤグラムにマッピングして一つのコンステレーションポイントになり、すべての可能な第１の変調シンボルとすべての可能な第２の変調シンボルを重畳させ、すべての可能な重畳シンボルを得て、コンステレーションダイヤグラムにマッピングして、すべての可能なコンステレーションポイントになり、このコンステレーションダイヤグラムはグレー属性と有する。
【００５０】
例を挙げて説明すると、第１の変調シンボルを第２の変調シンボルと線形重畳させ、重畳シンボルを取得する。
【００５１】
選択肢として、前記第１の変調シンボルを第１の力率と乗算し、第１の重み付け変調シンボルを得て、前記第２の変調シンボルを第２の力率と乗算し、第２の重み付け変調シンボルを得て、ここで、前記第１の力率は第１の情報ビットの電力占有率の平方根であり、前記第２の力率は、第２の情報ビットの電力占有率の平方根であり、第１の情報ビットの電力占有率を第２の情報ビットの電力占有率と加算すると、１になり、前記第１の重み付け変調シンボルを前記第２の重み付け変調シンボルと加算し、前記重畳シンボルを取得する。
【００５２】
本実施例において、送信機は、第１の情報ビット、第２の情報ビット及びマッピングテーブルに基づいて、第１の変調シンボルと第２の変調シンボルを確定し、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有し、前記送信機は、前記第１の変調シンボルを前記第２の変調シンボルと重畳させ、重畳シンボルを取得する。マッピングテーブルによってマッピングして変調シンボルを得て、そして変調シンボルを直接重畳する方式によって、２セットの情報ビットからグレー属性を有するコンステレーションにマッピングすることを実現し、それによって複数ユーザー情報の非直交多重化を簡易化することができる。
【００５３】
上記の実施例の上で、送信機は、第１の情報ビット、第２の情報ビット及びマッピングテーブルに基づいて、第１の変調シンボルと第２の変調シンボルを確定する前に、
送信機は、第１のビットストリームに対して符号化し、第１の情報ビットを得て、送信機は、第２のビットストリームに対して符号化し、第２の情報ビットを取得すること、を含むことができる。
【００５４】
つまり、送信機は、自分と各受信機、即ち各端末間のチャンネル状況に基づいて、チャンネルとマッチングする符号化方式に従って、ビット情報ストリームを取得することができる。
【００５５】
図３は、本発明における複数ユーザー情報伝送の復調方法１の実施例のフローチャートである。図３に示すように、該複数ユーザー情報伝送の復調方法は、ステップ３０１〜ステップ３０２を含む。
【００５６】
ステップ３０１において、受信機は、送信機より送信された送信信号を取得する。
【００５７】
本実施例において、前記送信信号は、送信機が前記第１の変調シンボルを前記第２の変調シンボルと重畳させて得られた重畳シンボルを含み、前記第１の変調シンボルと第２の変調シンボルとは、第１の情報ビット、第２の情報ビット及びマッピングテーブルに基づいて確定した変調シンボルである。
【００５８】
ステップ３０２において、受信機は、前記送信信号とマッピングテーブルに基づいて、前記送信機より自分に送信された情報を確定する。
【００５９】
本実施例において、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。
【００６０】
本実施例において、受信機は、送信機より送信された送信信号を取得し、前記受信機は、前記送信信号とマッピングテーブルに基づいて、前記送信機より自分に送信された情報を確定し、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各変調シンボルのセットが重畳しており、コンステレーションダイヤグラムにマッピングしてグレー属性を有する。送信信号とマッピングテーブルによってユーザー情報を得て、それによって復調の過程を簡易化し、そして複数ユーザー情報の非直交多重化の効率を向上させる。
【００６１】
上記の実施例の上で、ステップ３０２は、
前記受信機は第１の受信機であり、最大尤度法又は最小二乗誤差法によって、前記送信信号から得られた第１の変調シンボルに基づいて、前記第１の変調シンボルを前記マッピングテーブルに従って復調し、第１の情報ビットが得られ、第１の情報ビットを復号化して前記送信機より自分に送信された情報を取得することを含むことができる。
【００６２】
ここで、前記第１の受信機は、通常、境界ユーザー受信機である。
【００６３】
前記受信機は、第２の受信機であり、最大尤度法又は最小二乗誤差法によって、前記送信信号に基づいて第１の変調シンボルを得て、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得って、第２の情報ビットを復号化して前記送信機より自分に送信された情報を取得する。
【００６４】
前記第２の受信機は、通常、中心ユーザー受信機である。
【００６５】
図４は、本発明における複数ユーザー情報伝送の変調方法２の実施例のフローチャートである。図５は本発明１の実施例における重畳シンボル信号をコンステレーションダイヤグラムにマッピングする概略図である。図４に示すように、該複数ユーザー情報伝送の変調方法は、ステップ４０１〜ステップ４０４を含む。
【００６６】
ステップ４０１において、送信機は、第１の情報ビットと第２の情報ビットを取得する。
【００６７】
送信機は、自分と各受信機、即ち各端末間のチャンネル状況に基づいて、チャンネルとマッチングする符号化方式に従って、ビット情報ストリームを取得することができる。
【００６８】
ステップ４０２において、送信機は、第１の情報ビットをマッピングテーブルの第１のＱＰＳＫに従ってマッピングし、第１の変調シンボルを取得する。
【００６９】
ステップ４０３において、送信機は、第２の情報ビットをマッピングテーブルの第２のＱＰＳＫに従ってマッピングし、第２の変調シンボルを取得する。
【００７０】
利用するマッピングテーブルは表１に示される通りである。
【００７１】
【表１】
2018525915.tif 000003
【００７２】
上記の表１のマッピングテーブルの各行は、２セットの情報ビット、及び前記２セットの情報ビットに対応する二つの変調シンボルを含み、該二つの変調シンボルは、１セットの変調シンボルを構成する。マッピングテーブル内の各セットの変調シンボルが重畳しており、コンステレーションダイヤグラムにマッピングしてグレー属性を有する。
【００７３】
ステップ４０４において、送信機は、前記第１の変調シンボルを前記第２の変調シンボルと重畳させ、重畳シンボルを取得する。
【００７４】
第１の変調シンボルＸ１を第２の変調シンボルＸ２と線形重畳し、即ち、第１の変調シンボルＸ１と第２の変調シンボルＸ２とを、力率ａ１とａ２とそれぞれ乗算してから重畳させ、Ｘが得られ、Ｘ１・ａ１＋Ｘ２・ａ２として示す。一つの第１の変調シンボルを一つの第２の変調シンボルと重畳させ、一つの重畳シンボルが得られ、コンステレーションダイヤグラムに一つのコンステレーションポイントとしてマッピングし、表１に従って、第１の変調シンボルを第２の変調シンボルと重畳させるのは、計１６種類の可能性があり、すべての可能な重畳シンボルをコンステレーションダイヤグラムにマッピングしてグレー属性を有し、図５に示すように、ａ１：ａ２＝４：１である場合、表１に従って第１の変調シンボルと第２の変調シンボルをマッピングして得られた重畳シンボルのコンステレーションダイヤグラムである。
【００７５】
重畳シンボルＸを時間周波数リソース上にマッピングして、受信機に送信する。
【００７６】
選択肢として、受信機ＵＥは、送信機からの送信信号を受信し、ここで、前記送信信号は、実施例１に記載している方法で得られるものである。図５に示すように、受信機はマッピングテーブルに基づいて、情報を復調する。
【００７７】
仮に経由する無線チャンネルはＡＷＧＮチャンネルであり、送信信号は、加法性ホワイトノイズによる干渉だけを受ける場合、データシンボル、つまり重畳シンボルは、ノイズの干渉を受ける可能性があり、コンステレーションダイヤグラムから見ると、受信されたシンボルは、重畳コンステレーションポイントから一定のユークリッド距離をオフセットしたあるポイントである。
【００７８】
境界ユーザーの受信機にとっては、中心ユーザー情報による干渉とノイズ干渉を含んでも、自身ユーザーの情報を直接に復調することができる。例えば、最大尤度法（ＭＬ：Ｍａｘｉｍｕｍ  Ｌｉｋｅｌｉｈｏｏｄ）又は最小二乗誤差法によって、第１の変調シンボルを取得する。そして第１の変調シンボルを表１に従ってマッピングして復調し、第１の情報ビットを得て、第１の情報ビットを復号化して境界ユーザー情報を取得する。
【００７９】
中心ユーザー受信機にとっては、重畳コンステレーションダイヤグラム、最大尤度法又は最小二乗誤差法によって、第１の変調シンボルを復調してから、ＳＩＣによって第１の変調シンボルを除去し、さらに最大尤度法又は最小二乗誤差法によって第２の変調シンボルを算出し、そして第２の変調シンボルを表１に従ってマッピングして復調し、第２の情報ビットを得て、第２の情報ビットを復号化してユーザー情報を取得する。
【００８０】
本実施例において、マッピングテーブルによってマッピングして変調シンボルを得てから変調シンボルを直接重畳することで、２セットの情報ビットからグレー属性を有するコンステレーションにマッピングすることを実現し、それによって複数ユーザー情報の非直交多重化を簡易化することができる。
【００８１】
図６は、本発明複数ユーザー情報伝送の変調方法３の実施例のフローチャートである。図７は、本発明２の実施例における重畳シンボル信号をコンステレーションダイヤグラムにマッピングする概略図である。図６に示すように、該複数ユーザー情報伝送の変調方法は、ステップ６０１〜ステップ６０４を含む。
【００８２】
ステップ６０１において、送信機は、第１の情報ビットと第２の情報ビットを取得する。
【００８３】
ここで、送信機は、自分と各受信機、即ち各端末間のチャンネル状況に基づいて、チャンネルとマッチングする符号化方式に従って、ビット情報ストリームを取得することができる。
【００８４】
ステップ６０２において、送信機は、第１の情報ビットをマッピングテーブルの第１のＱＰＳＫに従ってマッピングし、第１の変調シンボルを取得する。
【００８５】
ステップ６０３において、送信機は、第２の情報ビットをマッピングテーブルの第２の１６ＱＡＭに従ってマッピングし、第２の変調シンボルを取得する。
【００８６】
利用するマッピングテーブルは、表２に示される通りである。
【００８７】
【表２−１】
2018525915.tif 000004
【００８８】
【表２−２】
2018525915.tif 000005
【００８９】
ステップ６０４において、送信機は、前記第１の変調シンボルを前記第２の変調シンボルと重畳させ、重畳シンボルを取得する。
【００９０】
ここで、第１の変調シンボルＸ１を第２の変調シンボルＸ２と線形重畳し、即ち、第１の変調シンボルＸ１と第２の変調シンボルＸ２とを、力率ａ１とａ２とそれぞれ乗算してから重畳させ、Ｘが得られ、Ｘ１・ａ１＋Ｘ２・ａ２として示す。一つの第１の変調シンボルを一つの第２の変調シンボルと重畳させ、一つの重畳シンボルが得られ、コンステレーションダイヤグラムに一つのコンステレーションポイントとしてマッピングし、表２に従って、第１の変調シンボルを第２の変調シンボルと重畳させるのは、計６４種類の可能性があり、すべての可能な重畳シンボルをコンステレーションダイヤグラムにマッピングしてグレー属性を有し、図７に示すように、ａ１：ａ２＝４：１である場合、表２に従って第１の変調シンボルと第２の変調シンボルとによって得られた重畳シンボルをマッピングするコンステレーションダイヤグラムである。
【００９１】
図８は、本発明における複数ユーザー情報伝送の変調方法４の実施例のフローチャートである。図９は、本発明３の実施例における重畳シンボル信号をコンステレーションダイヤグラムにマッピングする概略図である。図８に示すように、該複数ユーザー情報伝送の変調方法は、ステップ８０１〜ステップ８０４を含む。
【００９２】
ステップ８０１において、送信機は第１の情報ビットと第２の情報ビットを取得する。
【００９３】
ここで、送信機は、自分と各受信機、即ち各端末間のチャンネル状況に基づいて、チャンネルとマッチングする符号化方式に従って、ビット情報ストリームを取得することができる。
【００９４】
ステップ８０２において、送信機は、第１の情報ビットをマッピングテーブルの第１のＱＰＳＫに従ってマッピングし、第１の変調シンボルを取得する。
【００９５】
ステップ８０３において、送信機は、第２の情報ビットをマッピングテーブルの第２の１６ＱＡＭに従ってマッピングし、第２の変調シンボルを取得する。
【００９６】
利用するマッピングテーブルは表３に示される通りである。
【００９７】
【表３】
2018525915.tif 000006
【００９８】
ステップ８０４において、送信機は、前記第１の変調シンボルを前記第２の変調シンボルと重畳させ、重畳シンボルを取得する。
【００９９】
ここで、第１の変調シンボルＸ１を第２の変調シンボルＸ２と線形重畳し、即ち、第１の変調シンボルＸ１と第２の変調シンボルＸ２とを、力率ａ１とａ２とそれぞれ乗算してから重畳させ、Ｘが得られ、Ｘ１・ａ１＋Ｘ２・ａ２として示す。一つの第１の変調シンボルを一つの第２の変調シンボルと重畳させ、一つの重畳シンボルが得られ、コンステレーションダイヤグラムに一つのコンステレーションポイントとしてマッピングして、表３に従って、第１の変調シンボルを第２の変調シンボルと重畳させるのは、計３２種類の可能性があり、すべての可能な重畳シンボルをコンステレーションダイヤグラムにマッピングしてグレー属性を有し、図９に示すように、ａ１：ａ２＝４：１である場合、表３に従って第１の変調シンボルと第２の変調シンボルをマッピングして得られた重畳シンボルのコンステレーションダイヤグラムである。
【０１００】
本実施例において、マッピングテーブルによってマッピングして変調シンボルを得てから、変調シンボルを直接重畳することで、２セットの情報ビットからグレー属性を有するコンステレーションにマッピングすることを実現し、それによって複数ユーザー情報の非直交多重化を簡易化することができる。
【０１０１】
上記の実施例から見ると、第１の情報ビットが１ビットである場合、送信機は、前記第１の情報ビットから、第１のＢＰＳＫによって、前記第１の変調シンボルを得て、第１の情報ビットが２ビットである場合、前記送信機は、前記第１の情報ビットから、第１のＱＰＳＫによって、前記第１の変調シンボルを取得する。
【０１０２】
前記第２の情報ビットが２ビットである場合、送信機は、前記第２の情報ビットから、第２のＱＰＳＫマッピング関係によって、前記第２の変調シンボルを得て、前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることである。
【０１０３】
前記第２の情報ビットが４ビットである場合、送信機は、前記第２の情報ビットから、第２の１６直交振幅変調（１６ＱＡＭ）マッピング関係によって、前記第２の変調シンボルを得て、前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることである。
【０１０４】
前記第２の情報ビットが６ビットである場合、送信機は、前記第２の情報ビットから、第２の６４直交振幅変調（６４ＱＡＭ）マッピング関係によって、前記第２の変調シンボルを得て、前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである。
【０１０５】
そのため、第１の変調シンボルは第１の情報ビットをＬＴＥに従って変調して得られた変調シンボルであり、第２の変調シンボルは、第２の情報ビットをＬＴＥに従って変調してから、第１の情報ビットの値に基づいて、変調後のシンボルに対して実数部及び/又は虚数部に応じて反転され、又は実数部と虚数部とを変わらないように保持し、それによって得られた変調シンボルである。ここで、第１の情報ビットの値に基づいて、変調後のシンボルに対して実数部及び/又は虚数部に応じて反転され、又は実数部と虚数部とを変わらないように保持する規則は、送信側及び/又は受信側によって設定することが可能である。
【０１０６】
例えば、代数公式で表現すると、表１、表２と同様な効果が得られる。
【０１０７】
【表４】
2018525915.tif 000007
【０１０８】
ここでｘ０は、ｂ（０）ｂ（１）をＬＴＥに従って変調して得られた変調シンボルであり、ここでｘ１は、ｂ（０）ｂ（１）…ｂ（ｎ）をＬＴＥに従って変調して得られた変調シンボルであり、ｎは１又は３又は５である。ｆ（ｘ０,ｘ１）は、ｘ０,ｘ１を従属変数とする固定関数であり、ここで、ｆ（ｘ０,ｘ１）の実数部と虚数部との絶対値はｘ１と同じであるが、実数部及び/又は虚数部の符号はｘ１と異なる可能性がある。
【０１０９】
上記のマッピングテーブルの各行は、２セットの情報ビット（ｂ（０）ｂ（１）、ｂ（０）ｂ（１）…ｂ（ｎ））、及び前記２セットの情報ビットに対応する二つの変調シンボル（ｘ０,、ｆ（ｘ０,ｘ１））を含み、該二つの変調シンボルは、１セットの変調シンボルを構成する。マッピングテーブルの各セットの変調シンボル（ｘ０,、ｆ（ｘ０,ｘ１））が重畳し、コンステレーションダイヤグラムにマッピングしてグレー属性を有する。
【０１１０】
図１０は、本発明における送信機１の実施例のフローチャートである。図１０に示すように、該送信機は、第１の確定モジュール１０１と重畳モジュール１０２とを含み、ここで、
第１の確定モジュール１０１は、第１の情報ビット、第２の情報ビット及びマッピングテーブルに基づいて、第１の変調シンボルと第２の変調シンボルを確定するように構成され、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。
【０１１１】
重畳モジュール１０１は、前記第１の変調シンボルを前記第２の変調シンボルと重畳させ、重畳シンボルを取得するように構成される。
【０１１２】
本実施例において、送信機は、第１の情報ビット、第２の情報ビット及びマッピングテーブルに基づいて、第１の変調シンボルと第２の変調シンボルを確定し、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有し、前記送信機は、前記第１の変調シンボルを前記第２の変調シンボルと重畳させ、重畳シンボルを取得する。マッピングテーブルによってマッピングして変調シンボルを得て変調シンボルを直接重畳することで、２セットの情報ビットからグレー属性を有するコンステレーションにマッピングすることを実現し、それによって複数ユーザー情報の非直交多重化を簡易化することができる。
【０１１３】
上記の実施例の上で、第１の確定モジュール１０１は、前記第１の情報ビットから、前記マッピングテーブルの第１のマッピング関係によって、前記第１の変調シンボルを得て、前記第２の情報ビットから、前記マッピングテーブルの第２のマッピング関係によって、前記第２の変調シンボルを取得するように構成される。
【０１１４】
前記第１のマッピング関係は、複数の前記第２のマッピング関係に対応する。
【０１１５】
上記の実施例の上で、前記第１の確定モジュール１０１は、
前記第１の情報ビットが１ビットである場合、前記第１の情報ビットから、第１の二位相偏移変調（ＢＰＳＫ）によって、前記第１の変調シンボルを得て、
前記第１の情報ビットが２ビットである場合、前記第１の情報ビットから、第１の四位相偏移変調（ＱＰＳＫ）によって、前記第１の変調シンボルを取得するように構成される。
【０１１６】
上記の実施例の上で、前記第１の確定モジュール１０１は、
前記第２の情報ビットが２ビットである場合、前記第２の情報ビットから、第２のＱＰＳＫマッピング関係によって、前記第２の変調シンボルを得て、
前記第２の情報ビットが４ビットである場合、前記第２の情報ビットから、第２の１６直交振幅変調（１６ＱＡＭ）マッピング関係によって、前記第２の変調シンボルを得て、
前記第２の情報ビットが６ビットである場合、前記第２の情報ビットから、第２の６４直交振幅変調（６４ＱＡＭ）マッピング関係によって、前記第２の変調シンボルを取得する、
ように構成され、前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることであり、
前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることであり、
前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである。
【０１１７】
選択肢として、上記の実施例の上で、前記重畳モジュール１０２は、第１の変調シンボルを第２の変調シンボルと線形重畳させ、重畳シンボルを取得するように構成される。
【０１１８】
選択肢として、上記の実施例の上で、前記重畳モジュール１０２は、前記第１の変調シンボルを第１の力率と乗算し、第１の重み付け変調シンボルを得て、前記第２の変調シンボルを第２の力率と乗算し、第２の重み付け変調シンボルを得て、前記第１の重み付け変調シンボルを前記第２の重み付け変調シンボルと加算し、前記重畳シンボルを取得するように構成され、
ここで、前記第１の力率は第１の情報ビットの電力占有率の平方根であり、前記第２の力率は、第２の情報ビットの電力占有率の平方根であり、第１の情報ビットの電力占有率を第２の情報ビットの電力占有率と加算すると、１になる。
【０１１９】
図１１は、本発明における送信機２の実施例のフローチャートである。図１１に示すように、該送信機は、符号化モジュール１０３をさらに含むことが可能であり、前記符号化モジュール１０３は、第１のビットストリームに対して符号化し、第１の情報ビットを得て、第２のビットストリームに対して符号化し、第２の情報ビットを取得するように構成される。
【０１２０】
選択肢として、該送信機は、送信モジュール１０４をさらに含み、前記送信モジュール１０４は、前記重畳シンボルを送信信号に形成し、前記送信信号を複数の受信機に送信するように構成される。
【０１２１】
図１２は、本発明における受信機１の実施例のフローチャートである。図１２に示すように、受信機であって、取得モジュール１２１と第２の確定モジュール１２２とを含み、ここで、
取得モジュール１２１は、送信機より送信された送信信号を取得するように構成される。
【０１２２】
第２の確定モジュール１２２は、前記送信信号とマッピングテーブルに基づいて、前記送信機より自分に送信された情報を確定するように構成され、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各変調シンボルのセットが重畳しており、コンステレーションダイヤグラムにマッピングしてグレー属性を有する。
【０１２３】
本実施例において、受信機は、送信機より送信された送信信号を取得し、前記受信機は、前記送信信号とマッピングテーブルに基づいて、前記送信機より自分に送信された情報を確定する、前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する。送信信号とマッピングテーブルに基づいて、ユーザー情報を取得することを実現し、それによって変調の過程を簡易化し、さらに複数ユーザー情報の非直交多重化の効率を向上させる。
【０１２４】
上記の実施例の上で、前記受信機は第１の受信機であり、前記第２の確定モジュール１２２は、最大尤度法又は最小二乗誤差法によって、前記送信信号から得られた第１の変調シンボルに基づいて、前記第１の変調シンボルを前記マッピングテーブルに従って復調し、第１の情報ビットが得られ、第１の情報ビットを復号化して前記送信機より自分に送信された情報を取得するように構成される。
【０１２５】
ここで、前記第１の受信機は、通常、境界ユーザー受信機である。
【０１２６】
上記の実施例の上で、前記受信機は、第２の受信機であり、前記第２の確定モジュール１２２は、最大尤度法又は最小二乗誤差法によって、前記送信信号から得られた第１の変調シンボルに基づいて、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得って、第２の情報ビットを復号化して前記送信機より自分に送信された情報を取得するように構成される。
【０１２７】
前記第２の受信機は、通常、中心ユーザー受信機である。
【０１２８】
本発明の実施例は、コンピュータ読み取り可能な記憶媒体をさらに提供し、プロセッサで実行する時に上記の複数ユーザー情報伝送の変調方法を実現するコンピュータで実行可能な命令が記憶されている。
【０１２９】
本発明の実施例は、コンピュータ読み取り可能な記憶媒体を提供し、プロセッサで実行する時に上記の複数ユーザー情報伝送の復調方法を実現するコンピュータで実行可能な命令が記憶されている。
【０１３０】
当業者は、上記の実施例のすべて又は一部のステップは、コンピュータプログラムを用いて実現されても良いと理解することができ、前記コンピュータプログラムは、コンピュータ読み取り可能な記憶媒体に記憶されても良く、前記コンピュータプログラムは、対応するハードウェアプラットホーム上で（例えばシステム、デバイス、装置、パーツなど）実行され、実行時に、方法の実施例のステップのいずれか一つ又はその組み合わせを含む。
【０１３１】
選択肢として、上述実施例のすべて又は一部のステップは、集積回路で実現しても良く、これらのステップを一つの集積回路モジュールにそれぞれ作成しても良く、又はそれらの複数のモジュールとステップを単独の回路モジュールに作成して実現しても良い。
【０１３２】
上記の実施例における装置／機能モジュール/機能ユニットは、汎用のコンピュータ装置を利用して実現しても良く、単一のコンピュータ装置に統合しても良く、複数のコンピュータ装置により構成されるネットワークに配置しても良い。
【０１３３】
上記の実施例における装置／機能モジュール/機能ユニットは、ソフトウェア機能モジュールとして実現され、しかも独立な製品として販売又は使用する時に、コンピュータ読み取り可能な記憶媒体に記憶しても良い。上記に記載されているコンピュータ読み取り可能な記憶媒体は、読み取り専用記憶装置、磁気ディスク又はコンパクトディスクなどであっても良い。
【０１３４】
本発明に開示されている実施形態が上記の通りであるが、前記の内容は、単なる本発明を理解させるために採用される実施形態であり、本発明を限定するためのものではない。当業者は、本発明に開示されている精神と範囲を逸脱しない前提で、実施の形式及び細かい点において改修、変化しても良く、本発明の範囲は、特許請求の範囲に準じるべきである。
【産業上の利用可能性】
【０１３５】
本発明の実施例は、マッピングテーブルにマッピングして変調シンボルを得て変調シンボルを直接重畳することで、変調過程を簡易化し、それによって複数ユーザー情報の非直交多重化の効率を向上させる。
【図１】
2018525915.tif 000008
【図２】
2018525915.tif 000009
【図３】
2018525915.tif 000010
【図４】
2018525915.tif 000011
【図５】
2018525915.tif 000012
【図６】
2018525915.tif 000013
【図７】
2018525915.tif 000014
【図８】
2018525915.tif 000015
【図９】
2018525915.tif 000016
【図１０】
2018525915.tif 000017
【図１１】
2018525915.tif 000018
【図１２】
2018525915.tif 000019
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
複数ユーザー情報伝送の変調方法であって、
送信機が、第１の情報ビット、第２の情報ビット及びマッピングテーブルに基づいて、第１の変調シンボルと第２の変調シンボルを確定することと、
前記送信機が、前記第１の変調シンボルを前記第２の変調シンボルと重畳させ、重畳シンボルを取得することと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する、
複数ユーザー情報伝送の変調方法。
【請求項２】
前記送信機が、前記第１の情報ビットから、前記マッピングテーブルの第１のマッピング関係によって、前記第１の変調シンボルを取得することは、
前記第１の情報ビットが１ビットである場合、前記送信機が、前記第１の情報ビットから、第１の二位相偏移変調（ＢＰＳＫ）によって、前記第１の変調シンボルを取得することと、
前記第１の情報ビットが２ビットである場合、前記送信機が、前記第１の情報ビットから、第１の四位相偏移変調（ＱＰＳＫ）によって、前記第１の変調シンボルを取得することと、
を含む、請求項１に記載の複数ユーザー情報伝送の変調方法。
【請求項３】
前記送信機が、前記第２の情報ビットから、前記マッピングテーブルの第２のマッピング関係によって、前記第２の変調シンボルを取得することは、
前記第２の情報ビットが２ビットである場合、前記送信機が、前記第２の情報ビットから、第２のＱＰＳＫマッピング関係によって、前記第２の変調シンボルを取得することと、
前記第２の情報ビットが４ビットである場合、前記送信機が、前記第２の情報ビットから、第２の１６直交振幅変調（１６ＱＡＭ）マッピング関係によって、前記第２の変調シンボルを取得することと、
前記第２の情報ビットが６ビットである場合、前記送信機が、前記第２の情報ビットから、第２の６４直交振幅変調（６４ＱＡＭ）マッピング関係によって、前記第２の変調シンボルを取得することと、
を含み、
前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることであり、
前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることであり、
前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである、
請求項１又は２に記載の複数ユーザー情報伝送の変調方法。
【請求項４】
前記送信機が、前記第１の変調シンボルを前記第２の変調シンボルと重畳させ、重畳シンボルを取得することは、
前記送信機が、前記第１の変調シンボルを前記第２の変調シンボルと線形重畳させ、重畳シンボルを取得すること、
を含む、請求項１〜３のいずれか１項に記載の複数ユーザー情報伝送の変調方法。
【請求項５】
前記送信機が、前記第１の変調シンボルを第２の変調シンボルと線形重畳させ、重畳シンボルを取得することは、
前記送信機が、前記第１の変調シンボルを第１の力率と乗算し、第１の重み付け変調シンボルを得て、前記送信機が、前記第２の変調シンボルを第２の力率と乗算し、第２の重み付け変調シンボルを取得することと、
前記送信機が、前記第１の重み付け変調シンボルを前記第２の重み付け変調シンボルと加算し、前記重畳シンボルを取得することと、
を含み、
前記第１の力率は第１の情報ビットの電力占有率の平方根であり、前記第２の力率は、第２の情報ビットの電力占有率の平方根であり、第１の情報ビットの電力占有率を第２の情報ビットの電力占有率と加算すると、１になる、
請求項１〜４のいずれか１項に記載の複数ユーザー情報伝送の変調方法。
【請求項６】
複数ユーザー情報伝送の復調方法であって、
受信機が、送信機より送信された送信信号を取得することと、
前記受信機が、前記送信信号とマッピングテーブルに基づいて、前記送信機より自分に送信された情報を確定することと、
を含み、
前記マッピングテーブルは、第１の情報ビットと第１の変調シンボルとの、及び第２の情報ビットと第２の変調シンボルとの対応関係を確定するように用いられ、前記マッピングテーブル内の各セットの変調シンボルが重畳しており、コンステレーションダイヤグラムにマッピングしてグレー属性を有する、
複数ユーザー情報伝送の復調方法。
【請求項７】
前記受信機が、前記送信信号とマッピングテーブルに基づいて、前記送信機より自分に送信された情報を確定することは、
前記受信機が第１の受信機であり、最大尤度法又は最小二乗誤差法によって、前記送信信号に基づいて第１の変調シンボルを取得し、前記第１の変調シンボルを前記マッピングテーブルに従って復調し、第１の情報ビットが得られ、第１の情報ビットを復号化して前記送信機より自分に送信された情報を取得すること、
を含む、請求項６に記載の複数ユーザー情報伝送の復調方法。
【請求項８】
前記受信機が、前記送信信号とマッピングテーブルに基づいて、前記送信機より自分に送信された情報を確定することは、
前記受信機が、第２の受信機であり、最大尤度法又は最小二乗誤差法によって、前記送信信号から第１の変調シンボルを取得し、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得て、第２の情報ビットを復号化して前記送信機より自分に送信された情報を取得すること、
を含む、請求項６に記載の複数ユーザー情報伝送の復調方法。
【請求項９】
送信機であって、
第１の情報ビット、第２の情報ビット及びマッピングテーブルに基づいて、第１の変調シンボルと第２の変調シンボルを確定するように構成される第１の確定モジュールと、
前記第１の変調シンボルを前記第２の変調シンボルと重畳させ、重畳シンボルを取得するように構成される重畳モジュールと、
を含み、
前記マッピングテーブルは、前記第１の情報ビットと前記第１の変調シンボルとの、及び前記第２の情報ビットと前記第２の変調シンボルとの対応関係を確定するように用いられ、前記マッピングテーブル内の各セットの変調シンボルが重畳しており、コンステレーションダイヤグラムにマッピングしてグレー属性を有する、送信機。
【請求項１０】
前記第１の確定モジュールは、
前記第１の情報ビットが１ビットである場合、前記第１の情報ビットから、第１の二位相偏移変調（ＢＰＳＫ）によって、前記第１の変調シンボルを取得し、
前記第１の情報ビットが２ビットである場合、前記第１の情報ビットから、第１の四位相偏移変調（ＱＰＳＫ）によって、前記第１の変調シンボルを取得し、
前記第２の情報ビットが２ビットである場合、前記第２の情報ビットから、第２のＱＰＳＫマッピング関係によって、前記第２の変調シンボルを取得し、
前記第２の情報ビットが４ビットである場合、前記第２の情報ビットから、第２の１６直交振幅変調（１６ＱＡＭ）マッピング関係によって、前記第２の変調シンボルを取得し、
前記第２の情報ビットが６ビットである場合、前記第２の情報ビットから、第２の６４直交振幅変調（６４ＱＡＭ）マッピング関係によって、前記第２の変調シンボルを取得する、
ように構成され、
前記第２のＱＰＳＫマッピング関係は、第１の情報ビットの値に基づいて、第１のＱＰＳＫマッピングによる変調シンボルの実数部に応じて反転され、又は第１のＱＰＳＫマッピングによる変調シンボルの虚数部に応じて反転され、又は第１のＱＰＳＫマッピング、又は第１のＱＰＳＫマッピングによる変調シンボルの実数部と虚数部の両方に応じて反転されることであり、
前記第２の１６ＱＡＭマッピング関係は、第１の情報ビットの値に基づいて、１６ＱＡＭマッピングによる変調シンボルの実数部に応じて反転され、又は１６ＱＡＭマッピングによる変調シンボルの虚数部に応じて反転され、又は１６ＱＡＭマッピング、又は１６ＱＡＭマッピングによる変調シンボルの実数部と虚数部の両方に応じて反転されることであり、
前記第２の６４ＱＡＭマッピング関係は、第１の情報ビットの値に基づいて、６４ＱＡＭマッピングによる変調シンボルの実数部に応じて反転され、又は６４ＱＡＭマッピングによる変調シンボルの虚数部に応じて反転され、又は６４ＱＡＭマッピング、又は６４ＱＡＭマッピングによる変調シンボルの実数部と虚数部の両方に応じて反転されることである、
請求項９に記載の送信機。
【請求項１１】
前記重畳モジュールは、第１の変調シンボルを第２の変調シンボルと線形重畳させ、重畳シンボルを取得するように構成される、
請求項９又は１０に記載の送信機。
【請求項１２】
前記重畳モジュールは、前記第１の変調シンボルを第１の力率と乗算し、第１の重み付け変調シンボルを得て、前記第２の変調シンボルを第２の力率と乗算し、第２の重み付け変調シンボルを得て、前記第１の重み付け変調シンボルを前記第２の重み付け変調シンボルと加算し、前記重畳シンボルを取得する、
ように構成され、
前記第１の力率は第１の情報ビットの電力占有率の平方根であり、前記第２の力率は、第２の情報ビットの電力占有率の平方根であり、第１の情報ビットの電力占有率を第２の情報ビットの電力占有率と加算すると、１になる、
請求項９〜１１のいずれか１項に記載の送信機。
【請求項１３】
受信機であって、
送信機より送信された送信信号を取得するように構成される取得モジュールと、
前記送信信号とマッピングテーブルに基づいて、前記送信機より自分に送信された情報を確定するように構成される第２の確定モジュールと、を含み、
前記マッピングテーブルは、第１の情報ビットと第１の変調シンボルとの、及び第２の情報ビットと第２の変調シンボルとの対応関係を確定するように用いられ、前記マッピングテーブル内の各セットの変調シンボルが重畳しており、コンステレーションダイヤグラムにマッピングしてグレー属性を有する、
受信機。
【請求項１４】
前記受信機は第１の受信機であり、前記第２の確定モジュールは、最大尤度法又は最小二乗誤差法によって、前記送信信号から第１の変調シンボルを取得し、前記第１の変調シンボルを前記マッピングテーブルに従って復調し、第１の情報ビットが得られ、第１の情報ビットを復号化して前記送信機より自分に送信された情報を取得するように構成される、
請求項１３に記載の受信機。
【請求項１５】
前記受信機は、第２の受信機であり、前記第２の確定モジュールは、最大尤度法又は最小二乗誤差法によって、前記送信信号から第１の変調シンボルを取得し、逐次型干渉除去によって第１の変調シンボルを除去し、最大尤度法又は最小二乗誤差法によって第２の変調シンボルを算出し、前記第２の変調シンボルをマッピングテーブルに基づいて復調して第２の情報ビットを得て、第２の情報ビットを復号化して前記送信機より自分に送信された情報を取得するように構成される、
請求項１４に記載の受信機。
【国際調査報告】
2018525915.tif 000020
2018525915.tif 000021
2018525915.tif 000022
2018525915.tif 000023